【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】  基板上に第１の変換素子と前記第１の変換素子に接続されたスイッチ素子とを有する画素を複数備える変換部を有し、前記変換部に入射した放射線量に応じて画像情報を出力する放射線撮像装置であって、
前記変換部内に入射した放射線の総照射量、前記変換部内への放射線の入射及び放射線の停止のうち、少なくともいずれか１つを検出するために前記基板上に配設された第２の変換素子と、
前記第２の変換素子と接続され、前記第２の変換素子からの信号を処理する処理回路部とを有することを特徴とする放射線撮像装置。
【請求項２】  前記処理回路部は、
前記第２の変換素子からの出力電荷を加算する加算手段と、
前記加算手段で加算された電荷を積分する積分手段と、
前記積分手段で積分された値と予め設定されている閾値とを比較する比較手段と、
前記比較手段において前記閾値よりも前記積分値が大きいと判定されたときには、前記変換部への放射線の照射を停止する放射線遮断手段とを含むことを特徴とする請求項１に記載の放射線撮像装置。
【請求項３】  前記第２の変換素子が前記基板上の複数の個所に設けられており、前記処理回路部は、複数の第２の変換素子の中から最適個所の第２の変換素子を選択して放射線照射量を検出することを特徴とする請求項１又は２に記載の放射線撮像装置。
【請求項４】  前記第１の変換素子は、列方向及び行方向に等間隔ｐで配設されており、前記第２の変換素子の受光面の面積Ｓが、
Ｓ＝ｗ×ｈ（ｗ＜ｐ、ｈ＝ｋ×ｐ、ｋ≧１）
ただし、ｗは第２の変換素子の行方向の長さ
ｈは第２の変換素子の列方向の長さ
ｋは実数
であることを特徴とする請求項１〜３のいずれか１項に記載の放射線撮像装置。
【請求項５】  前記第１の変換素子がＭＩＳ型半導体構造で形成されていることを特徴とする請求項１〜４のいずれか１項に記載の放射線撮像装置。
【請求項６】  前記処理回路部は、前記第２の変換素子の出力をもとに、前記第１の変換素子からの出力電荷を蓄積するメモリの蓄積停止タイミングを決定する手段を有することを特徴とする請求項１〜５のいずれか１項に記載の放射線撮像装置。
【請求項７】  前記第１の変換素子に接続される信号線を有し、前記第２の変換素子は前記画素間に配設され、かつ前記信号線間に配設されていることを特徴とする請求項１〜６のいずれか１項に記載の放射線撮像装置。
【請求項８】  入射した放射線に対応した画像情報を出力する放射線撮像装置であって、
入射した放射線を電気信号に変換する第１の変換素子と、前記第１の変換素子に接続されたスイッチ素子とを有する画素を基板上に複数備えた変換部と、
前記基板上に設けられ、入射した放射線を電気信号に変換する第２の変換素子と、前記第２の変換素子に接続された処理回路部とを備えた総照射量検出手段と、
を含み、
前記第１の変換素子に入射した放射線量に応じて画像情報を出力するタイミングでは、前記第２の変換素子の放射線検出をオフ状態にすることを特徴とする放射線撮像装置。
【請求項９】  前記第２の変換素子はＴＦＴ構造を有しており、
前記処理回路部は、前記第２の変換素子のソース電極及びドレイン電極を接地し又は両者を同電位にすることにより、前記第２の変換素子の放射線検出をオフ状態にすることを特徴とする請求項８に記載の放射線撮像装置。
【請求項１０】  前記処理回路部は、前記第２の変換素子からの電気信号を外部に取り出す際に、前記電気信号を電流として取り出すことを特徴とする請求項８又は９に記載の放射線撮像装置。
【請求項１１】  前記処理回路部は、
前記第２の変換素子からの出力電荷を加算する加算手段と、
前記加算手段で加算された電荷を積分する積分手段と、
前記積分手段で積分された値と予め設定されている閾値とを比較する比較手段と、
前記比較手段において前記閾値よりも前記積分値が大きいと判定されたときには、前記変換部への放射線の照射を停止する放射線遮断手段とを含むことを特徴とする請求項８〜１０のいずれか１項に記載の放射線撮像装置。
【請求項１２】  基板上に第１の変換素子と前記第１の変換素子に接続されたスイッチ素子とを有する画素を複数備える変換部と、前記第１の変換素子とは別に前記基板上に配設された第２の変換素子と、前記第２の変換素子と接続された処理回路部とを有する放射線撮像装置を駆動するための駆動方法であって、
前記第２の変換素子からの出力に応じて、放射線の総照射量、放射線の入射及び放射線の停止のうち、少なくともいずれか１つを前記処理回路部で検出することを特徴とする放射線撮像装置の駆動方法。
【請求項１３】  前記処理回路部での処理は、
前記第２の変換素子からの出力信号を加算する加算ステップと、
前記加算ステップで加算された信号を積分する積分ステップと、
前記積分ステップで積分された値と予め設定されている閾値とを比較する比較ステップと、
前記比較ステップにおいて前記閾値よりも前記積分値が大きいと判定されたときには、前記変換部への放射線の照射を停止する放射線遮断ステップとを含むことを特徴とする請求項１２に記載の放射線撮像装置の駆動方法。
【請求項１４】  入射した放射線に対応した画像情報を出力する放射線撮像装置の駆動方法であって、
入射した放射線を電気信号に変換する第１の変換素子と、基板上に設けられ、入射した放射線を電気信号に変換する第２の変換素子とを含む放射線撮像装置を用いて、
前記第１の変換素子に入射した放射線量に応じて画像情報を出力するタイミングでは、前記第２の変換素子の放射線検出をオフ状態にすることを特徴とする放射線撮像装置の駆動方法。
【請求項１５】  入射した放射線を電気信号に変換する第１の変換素子と前記第１の変換素子に接続されたスイッチ素子とを有する画素を基板上に複数備える変換部と、前記変換部に入射した放射線量に応じた画像情報を出力するための第１の増幅器を含む第１の処理回路部と、を有する放射線撮像装置であって、
前記基板上に前記第１の変換素子とは別に設けられ、入射した放射線を電気信号に変換する第２の変換素子と、
前記第２の変換素子に接続され、前記第２の変換素子からの出力に応じて放射線の総照射量、放射線の入射及び放射線の停止のうち、少なくともいずれか１つを検出するための第２の増幅器を含む第２の処理回路部と、
を有することを特徴とする放射線撮像装置。
【手続補正２】
【補正対象書類名】明細書
【補正対象項目名】００２５
【補正方法】変更
【補正の内容】
【００２５】
本発明の放射線撮像装置の一態様では、入射した放射線に対応した画像情報を出力する放射線撮像装置であって、入射した放射線を電気信号に変換する第１の変換素子と、前記第１の変換素子に接続されたスイッチ素子とを有する画素を基板上に複数備えた変換部と、前記基板上に設けられ、入射した放射線を電気信号に変換する第２の変換素子と、前記第２の変換素子に接続された処理回路部とを備えた総照射量検出手段と、を含み、前記第１の変換素子に入射した放射線量に応じて画像情報を出力するタイミングでは、前記第２の変換素子の放射線検出をオフ状態にする。
【手続補正３】
【補正対象書類名】明細書
【補正対象項目名】００２７
【補正方法】変更
【補正の内容】
【００２７】
本発明の放射線撮像装置の一態様では、前記処理回路部は、前記第２の変換素子からの電気信号を外部に取り出す際に、前記電気信号を電流として取り出す。
また、本発明の放射線撮像装置の一態様では、入射した放射線を電気信号に変換する第１の変換素子と前記第１の変換素子に接続されたスイッチ素子とを有する画素を基板上に複数備える変換部と、前記変換部に入射した放射線量に応じた画像情報を出力するための第１の増幅器を含む第１の処理回路部と、を有する放射線撮像装置であって、前記基板上に前記第１の変換素子とは別に設けられ、入射した放射線を電気信号に変換する第２の変換素子と、前記第２の変換素子に接続され、前記第２の変換素子からの出力に応じて放射線の総照射量、放射線の入射及び放射線の停止のうち、少なくともいずれか１つを検出するための第２の増幅器を含む第２の処理回路部と、を有する。